(57)【要約】      （修正有）【課題】グリーンのコンディション情報を判断し、これに基づきゴルファーにパッティング情報を提供できるパッティング情報提供機能付きゴルフパターを提供する。【解決手段】通常のゴルフパターにゴルファーにパッティング情報を提供するパッティング情報提供装置４が結合され、パッティング情報提供装置４はゴルファーがゴルフボールからホールカップまでの距離情報を入力するための操作スイッチとパッティング情報を提供するためのＬＣＤを備えると共に、パターが水平面に対して傾く傾斜情報を提供する傾斜センサを備える。パッティング情報提供装置４は距離情報と傾斜情報に基づき現実のホールカップに対する仮想的なホールカップの位置情報をディスプレイすることにより、ゴルファーは仮想的なホールカップに向かってパットできる。【選択図】図２
0003132762.tif 000002
【実用新案登録請求の範囲】
【請求項１】
ヘッドとシャフト及びグリップを備えて構成され、ゴルファーがパッティングをするために使うゴルフパターにおいて、
前記シャフトの所定位置に固定的に取付けられ、ゴルファーにパッティング情報を提供するパッティング情報提供装置と、シャフトの一端に装着されるバッテリ収納ケースを含んで構成され、前記パッティング情報提供装置とバッテリ収納ケースは導線を用いて電気的に結合され、
前記パッティング情報提供装置はゴルファーがゴルフボールからホールカップまでの距離情報を入力するための操作スイッチと、パターを水平面においた時傾いた状態に対応する傾斜情報を提供する傾斜センサと、前記距離情報と傾斜情報に対応して現実のホールカップに対応する仮想的なホールカップの位置情報を保存するデータ貯蔵手段と、仮想的なホールカップの位置情報をディスプレイするディスプレイ手段と、前記距離情報と傾斜情報に基づきデータ貯蔵手段から仮想的なホールカップの位置情報を読み出し、これをディスプレイ手段を通じて出力制御する制御手段とを含んで構成されることを特徴とするパッティング情報提供機能付きゴルフパター。
【請求項２】
前記パッティング情報は、現実のホールカップと仮想的なホールカップとの距離情報を含むことを特徴とする請求項１に記載のパッティング情報提供機能付きゴルフパター。
【請求項３】
前記パッティング情報は、現実のホールカップとゴルフボールとの直線ラインに対して仮想的なホールカップとゴルフボールとの直線距離を連結した理想的なパッティングラインの角度情報を含むことを特徴とする請求項１に記載のパッティング情報提供機能付きゴルフパター。
【請求項４】
前記パッティング情報提供装置は、入力光を用いて装置の動作電源を提供する太陽光電池をさらに含んで構成されることを特徴とする請求項１に記載のパッティング情報提供機能付きゴルフパター。
【請求項５】
ヘッドとシャフト及びグリップを備えて構成され、ゴルファーがパッティングをするために使うゴルフパターにおいて、
前記シャフトの所定位置に固定的に取付けられ、ゴルファーにパッティング情報を提供するパッティング情報提供装置と、シャフトの一端に装着されるバッテリ収納ケースを含んで構成され、前記パッティング情報提供装置とバッテリ収納ケースは導線を介して電気的に結合され、
前記パッティング情報提供装置は下部蓋と透明材質よりなる上部蓋を備えると共に、上部及び下部蓋を結合した時全体として円筒形をなすように構成され、
前記下部蓋には上側にパッティング情報の提供のためのＬＣＤとゴルファーがゴルフボールからホールカップまでの距離情報を入力するための操作スイッチが備えられる基板が設けられ、
前記基板の下側にはゴルフボールから現実のホールカップまでの距離情報とグリーンの傾斜情報に基づきパッティング情報を提供する回路手段が備えられることを特徴とするパッティング情報提供機能付きゴルフパター。
【請求項６】
前記上部蓋の両端には突起が形成されることを特徴とする請求項５に記載のパッティング情報提供機能付きゴルフパター。
【請求項７】
前記回路手段はパターを水平面においた時傾いた状態に対応する傾斜情報を提供する傾斜センサと、前記距離情報と傾斜情報に対応して現実のホールカップに対応する仮想的なホールカップの位置情報を保存するデータ貯蔵手段と、前記距離情報と傾斜情報に基づきデータ貯蔵手段から仮想的なホールカップの位置情報を読み出し、これをディスプレイ手段を通じて出力制御する制御手段とを含んで構成されることを特徴とする請求項５に記載のパッティング情報提供機能付きゴルフパター。
【請求項８】
前記パッティング情報は、現実のホールカップと仮想的なホールカップとの距離情報を含むことを特徴とする請求項５に記載のパッティング情報提供機能付きゴルフパター。
【請求項９】
前記パッティング情報は現実のホールカップとゴルフボールとの直線ラインに対して仮想的なホールカップとゴルフボールとの直線距離を連結した理想的なパッティングラインの角度情報を含むことを特徴とする請求項５に記載のパッティング情報提供機能付きゴルフパター。
【請求項１０】
前記基板上には入力光を用いて装置の動作電源を提供する太陽光電池がさらに備えられることを特徴とする請求項５に記載のパッティング情報提供機能付きゴルフパター。
【考案の詳細な説明】
【技術分野】
【０００１】
本考案は主にパッティング用として使われるゴルフクラブ、すなわちゴルフパターに係り、さらに詳しくはグリーンの傾斜情報に基づきプレーヤーにパッティング情報を提供可能な機能付きゴルフパターに関する。
【背景技術】
【０００２】
通常、ゴルフクラブはその材質や使用用途に応じてアイアン、ドライバー、パターなど多種に分けられる。一般に、ゴルフプレーヤーがプレイする場合はボールからホールカップまでの距離やボールが置かれた場所の状態によってこれらゴルフクラブのうち最適のものを選択して使用する。
このうちパターは短距離用転がり専用のクラブである。パターは主にグリーン上に位置するボールをホールカップに入れる用途として使われる。パターをストロークすることをパッティングと称する。パッティングはグリーンコンディション、すなわちグリーンの状態及び傾斜度に大きく影響される。特に、グリーンの傾斜度はパターを離れたボールの進行方向に影響を与えるため、パッティングをする際には極めて注意深く判断すべきである。熟練ゴルファーはグリーンの傾斜度を慎重に判断し、ボールからホールカップまでの距離とグリーン状態を考慮してボールを適切な方向及び強さにパッティングする。
【０００３】
一般的に、パッティングはグリーン上のボールを最終的にホールカップに入れる過程であって、これはスコアと直接的な関連がある。パッティングを正確に実行できればプレーヤーのストロークは大幅に減少する。しかし、パッティングする際グリーン情報、特にグリーンの傾斜度を判断してパッティングラインを定める過程は殆んどゴルファーの認知能力及びその経験に頼っているため精度を高めることが極めて難しい。このような難しさは初心者は勿論、熟練ゴルファーにとっても同様に発生する。従って、グリーン情報をゴルファーに適切に提供することができる手段さえあれば、ゴルファーのパッティング能力、ひいてはもっとゴルファーの実力を向上させることができる。
【特許文献１】特開２００６−２４７０７３号公報
【考案の開示】
【考案が解決しようとする課題】
【０００４】
本考案は上記実情を考慮してなされたもので、その目的はグリーンのコンディション情報を判断し、これに基づきゴルファーにパッティング情報を提供できるパッティング情報提供機能付きゴルフパターを提供することにある。
【課題を解決するための手段】
【０００５】
上記目的を実現するため本考案は、ヘッドとシャフト及びグリップを備えて構成され、ゴルファーがパッティングをするために使うゴルフパターにおいて、前記シャフトの所定位置に固定的に取付けられ、ゴルファーにパッティング情報を提供するパッティング情報提供装置と、シャフトの一端に装着されるバッテリ収納ケースを含んで構成され、前記パッティング情報提供装置とバッテリ収納ケースは導線を用いて電気的に結合され、前記パッティング情報提供装置はゴルファーがゴルフボールからホールカップまでの距離情報を入力するための操作スイッチと、パターを水平面においた時傾いた状態に対応する傾斜情報を提供する傾斜センサと、前記距離情報と傾斜情報に対応して現実のホールカップに対応する仮想的なホールカップの位置情報を保存するデータ貯蔵手段と、仮想的なホールカップの位置情報をディスプレイするディスプレイ手段と、前記距離情報と傾斜情報に基づきデータ貯蔵手段から仮想的なホールカップの位置情報を読み出し、これをディスプレイ手段を通じて出力制御する制御手段とを含んで構成されることを特徴とする。
【０００６】
前記パッティング情報は、現実のホールカップと仮想的なホールカップとの距離情報を含むことを特徴とする。
【０００７】
また、前記パッティング情報は、現実のホールカップとゴルフボールとの直線ラインに対して仮想的なホールカップとゴルフボールとの直線距離を連結した理想的なパッティングラインの角度情報を含むことを特徴とする。
【０００８】
前記パッティング情報提供装置は、入力光を用いて装置の動作電源を提供する太陽光電池をさらに含んで構成されることを特徴とする。
【０００９】
また、本考案は、ヘッドとシャフト及びグリップを備えて構成され、ゴルファーがパッティングをするために使うゴルフパターにおいて、前記シャフトの所定位置に固定的に取付けられ、ゴルファーにパッティング情報を提供するパッティング情報提供装置と、シャフトの一端に装着されるバッテリ収納ケースを含んで構成され、前記パッティング情報提供装置とバッテリ収納ケースは導線を介して電気的に結合され、前記パッティング情報提供装置は下部蓋と透明材質よりなる上部蓋を備えると共に、上部及び下部蓋を結合した時全体として円筒形をなすように構成され、前記下部蓋には上側にパッティング情報の提供のためのＬＣＤとゴルファーがゴルフボールからホールカップまでの距離情報を入力するための操作スイッチが備えられる基板が設けられ、
前記基板の下側にはゴルフボールから現実のホールカップまでの距離情報とグリーンの傾斜情報に基づきパッティング情報を提供する回路手段が備えられることを特徴とする。
【００１０】
前記上部蓋の両端には突起が形成されることを特徴とする。
【００１１】
前記回路手段はパターを水平面においた時傾いた状態に対応する傾斜情報を提供する傾斜センサと、前記距離情報と傾斜情報に対応して現実のホールカップに対応する仮想的なホールカップの位置情報を保存するデータ貯蔵手段と、前記距離情報と傾斜情報に基づきデータ貯蔵手段から仮想的なホールカップの位置情報を読み出し、これをディスプレイ手段を通じて出力制御する制御手段とを含んで構成されることを特徴とする。
【００１２】
前記パッティング情報は、現実のホールカップと仮想的なホールカップとの距離情報を含むことを特徴とする。
【００１３】
前記パッティング情報は現実のホールカップとゴルフボールとの直線ラインに対して仮想的なホールカップとゴルフボールとの直線距離を連結した理想的なパッティングラインの角度情報を含むことを特徴とする。
【００１４】
前記基板上には入力光を用いて装置の動作電源を提供する太陽光電池がさらに備えられることを特徴とする。
【考案の効果】
【００１５】
本考案によれば、グリーンのコンディション情報を判断し、これに基づきゴルファーにパッティング情報を提供できるパッティング情報提供機能付きゴルフパターが具体化できる。
【考案を実施するための最良の形態】
【００１６】
以下、図面に基づき本考案に係る実施形態を説明する。また、後述する実施例は本考案の一つの望ましい構成例を示したもので、本実施例の例示は本考案の権利範囲を制限するためのものではない。本考案はその技術的思想を逸脱しない範囲内で多様に変形させて実施することができる。
【実施例】
【００１７】
先ず、図１を参照して本考案の基本概念について説明する。
図１はグリーン（ＧＲ）の上面が水平線（Ｈ）を基準にして一定角度（α１）傾いた状態を仮想的に示した概念図である。図において参照符号ＧＢはゴルフボールを示し、ＨＣはホールカップを示す。
一般に、ゴルフラウンドにおいてホールカップ（ＨＣ）にボールを入れるためにパターを使う。パターはパッティング面にフェースセンターライン（ｆａｃｅ  ｃｅｎｔｅｒ  ｌｉｎｅ）が形成されていてパターのインパクト時にフェースセンターラインに当たったボールはパッティング面に対して直角方向に移動する。
【００１８】
プレーヤーはパターを用いてパッティングをする前にボール（ＧＢ）からホールカップ（ＨＣ）までの距離と、グリーン（ＧＲ）の傾斜度（α１）を把握してパッティングラインを設定する。パッティングラインとは、グリーン（ＧＲ）上のボール（ＧＢ）をホールカップ（ＨＣ）に入れるためにホールカップ（ＨＣ）とボール（ＧＢ）との予想される連結線を指す。パッティングラインが決定されれば、ゴルファーは該当パッティングラインに沿って適当な力、すなわちボール（ＧＢ）がホールカップ（ＨＣ）に到達する程度の力でパッティングをする。
【００１９】
図１においてゴルファーがボール（ＧＢ）とホールカップ（ＨＣ）までの直線ライン（ＰＬ１）をパッティングラインと見定めたとすれば、パターから離れたボール（ＧＢ）はホールカップ（ＨＣ）に向かって直進せずＡ１方向に進む。これはグリーン（ＧＲ）が水平線に対してα１の角度で傾斜しているからである。
【００２０】
従って、ホールカップ（ＨＣ）に対して正確にボール（ＧＢ）を入れるためにはボールがホールカップ（ＨＣ）に向かって進む理想的なパッティングライン（ＰＬ２）を予測してそれに該当する方向（Ａ２）にパットする必要がある。しかし、このような理想的なパッティングライン（ＰＬ２）はグリーン（ＧＲ）の傾斜度（α１）とボール（ＧＢ）からホールカップ（ＨＣ）までの距離によって違ってくるため、ゴルファーが視覚的であり経験的な判断だけでこれを正確に予測することは極めて困難である。
【００２１】
本考案はボール（ＧＢ）からホールカップ（ＨＣ）までの距離情報と、グリーン（ＧＲ）の傾斜度（α１）情報に基づき理想的なパッティングライン（ＰＬ２）に対応するパッティング情報をゴルファーに提供するようにしたものである。そのための具体的な方法として、本考案においては現実のホールカップ（ＨＣ）に対応する仮想的なホールカップ（ＨＣ１）、すなわち理想的なパッティングライン（ＰＬ２）上に位置しつつボール（ＧＢ）と現実のホールカップ（ＨＣ）との距離に対応する位置に仮想的なホールカップ（ＨＣ１）を生成してその位置情報をパッティング情報としてゴルファーに提供する。ここで、前記パッティング情報としては現実のホールカップ（ＨＣ）と仮想的なホールカップ（ＨＣ１）との距離情報（Ｌ１）や現実のホールカップ（ＨＣ）とボール（ＧＢ）との直線ライン（ＰＬ１）に対する理想的なパッティングライン（ＰＬ２）の角度情報（α２）が使用できる。
【００２２】
図２は本考案の一実施例によるパターの外観形状を示した斜視図である。図２に示したパターは通常のものと同じく、ヘッド１とシャフト２及びグリップ３を備えると共に、シャフト２の上段にパッティング情報提供のためのパッティング情報提供装置４を備えている。
図３はパッティング情報提供装置４の回路構成を示したブロック構成図である。
図３においてパッティング情報提供装置４はプロセッサ４０を備える。このプロセッサ４０は一連のプログラム情報によって装置全体を制御する。プロセッサ４０の動作については詳しく後述する。
【００２３】
プロセッサ４０にはプルアップ抵抗（Ｒ）を通じて操作スイッチ４１が結合される。操作スイッチ４１はゴルファーが本装置を動作させるためのものである。操作スイッチ４１は本装置をオン／オフさせ、特に本装置に対してゴルフボール（ＧＢ）からホールカップ（ＨＣ）までの概略的な距離情報を入力するためのものである。
【００２４】
バッテリ４２は本装置の動作電源を提供するためのものである。この際、動作電源の供給のためにバッテリ４２の代りに太陽光電池が使用でき、またバッテリと太陽光電池は共に使用できる。このバッテリ４２から出力される動作電源はプロセッサ４０に供給されると共に、電源部４３を通じて他の回路部に供給される。この際、電源部４３はプロセッサ４０の制御によって各回路部に供給される動作電源を断続する。
【００２５】
傾斜センサ４４はパターが水平状態の場合を基準にしてパターの傾斜度を検出する。この傾斜センサ４４としては水平測定のために使われる、例えばＶＴＩ社製のモデル名ＳＣＡ３０００−Ｄ０１＆Ｄ０２が適用可能である。傾斜センサ４４により検出された傾斜度データはプロセッサ４０に提供される。
【００２６】
データ貯蔵部４５は例えばＲＯＭテーブルより構成される。データ貯蔵部４５にはゴルフボール（ＧＢ）からホールカップ（ＨＣ）までの距離情報と前記グリーンの傾斜度情報に対応してパッティング情報が保存される。この際、パッティング情報としては図１で説明したように現実のホールカップ（ＨＣ）と仮想的なホールカップ（ＨＣ１）との距離情報（Ｌ１）や現実のホールカップ（ＨＣ）とボール（ＧＢ）との直線ライン（ＰＬ１）に対する理想的なパッティングライン（ＰＬ２）の角度情報（α２）が使用できる。本実施例においてはパッティング情報として現実のホールカップ（ＨＣ）と仮想的なホールカップ（ＨＣ１）との距離情報（Ｌ１）が使われる。
【００２７】
ＬＣＤ４６はゴルファーにパッティング情報を提供する。ＬＣＤ４６を通じて提供されるパッティング情報には基本的に上述したデータ貯蔵部４５に保存されている距離情報（Ｌ１）が含まれ、これに付加的にゴルフボール（ＧＢ）からホールカップ（ＨＣ）までの距離情報とグリーンの傾斜度情報が含まれる。これら付加的な情報の表示は必ず求められるものではない。
【００２８】
図４はＬＣＤ４６に表示される出力画面の一例を示した図である。図４（ａ）はゴルファーを基準にしてグリーンの左側方向が右側より高く、その傾斜度は１９．５°、ゴルフボール（ＧＢ）からホールカップ（ＨＣ）までの距離は９メートル、現実のホールカップ（ＨＣ）から仮想ホールカップ（ＨＣ１）までの距離は３５１ｃｍであることを示すものである。また、図４（ｂ）はゴルファーを基準にしてグリーンの右側方向が左側より高く、その傾斜度は５．５°、ゴルフボール（ＧＢ）からホールカップ（ＨＣ）までの距離は６メートル、現実のホールカップ（ＨＣ）から仮想ホールカップ（ＨＣ１）までの距離は６６ｃｍであることを示すものである。
【００２９】
図５は本考案に係るパッティング情報提供機能付きゴルフパターの組立構成図である。図においてシャフト２の所定位置にはパッティング情報提供装置４が装着される装着部２１が形成され、シャフト２の上段にはバッテリ収納ケース５が挿入される。バッテリ収納ケース５は円筒状の胴体５１と開閉可能な蓋５２を備える。また、胴体５１は上端部の外周面に沿って係止爪が設けられバッテリ収納ケース５がシャフト２の上面に据え置きするようになっている。バッテリ収納ケース５の内側にはバッテリが収納され、このバッテリとパッティング情報提供装置４は導線６を介して電気的に結合される。そして、シャフト２にバッテリ収納ケース５が挿入及び据え置き状態でグリップ３が被せられる。
【００３０】
図６はパッティング情報提供装置４の外観形状を示した斜視図であり、図７はその分離斜視図である。
パッティング情報提供装置４は断面が半円状よりなる下部蓋４００と断面が半円状よりなる上部蓋４１０を備えて、下部及び上部蓋４００、４１０を結合した時外観が全体として円筒形をなす。この際、当然に結合された状態における円筒の直径はシャフト２の直径と同等な大きさを有する。
【００３１】
下部蓋４００には基板４２０が装着される。基板４２０の上面にはＬＣＤ４６が設けられ、ＬＣＤ４６の一側面には操作スイッチ４１が突設される。また、基板４２０の背面には図３で説明したプロセッサ４０、電源部４３、傾斜センサ４４及びデータ貯蔵部４５などの回路部が実装される。また、下部蓋４００の一側にはバッテリから導線を電気的に結合するための結合孔４０１が設けられる。この結合孔４０１には必要に応じて例えば電気コネクタが設けられ、該コネクタは基板４２０上の配線と電気的に結合される。また、基板４２０上には必要に応じて太陽光電池が実装される。
【００３２】
下部蓋４００に基板が装着された状態で上部蓋４１０が設けられるが、この際上部蓋４１０は望ましくは、例えば透明な軟性材質の樹脂を基板４２０上にモルディング成形する。また、上部蓋４１０の両端部には多数の突起４１１が設けられる。突起４１１は本パッティング情報提供装置４を一応シャフト２に圧入して結合した後にパッティング情報提供装置４がシャフト２から抜けないようにするためのものである。
図面に具体的に示していないが、シャフト２の装着部２１にパッティング情報提供装置４を設けた後は透明材質よりなるテープを用いてシャフト２の外側をテーピングすることによりシャフト２にパッティング情報提供装置４を堅固に固定する。
【００３３】
次いで、前述した構造よりなるパターを用いてパッティングをする過程を図８を参照して説明する。
ティショットを打った後、ゴルフボールがグリーンにオンすると、ゴルファーはパターを用いてパッティングをする。この際、本考案に係るパターを用いて適当なパッティング情報が得られる。
まず、ゴルファーはパッティング情報提供装置４の操作スイッチ４１を一定時間以上押えることにより装置を動作状態に設定する。操作スイッチ４１が一定時間以上オン状態に操作されれば、図３においてプロセッサ４０は電源部４３を駆動して装置各回路部に動作電源を供給することにより各回路部を動作状態に設定する。
【００３４】
次いで、ゴルファーはゴルフボール（ＧＢ）と現実のホールカップ（ＨＣ）までの距離を概略判断した後、その距離に該当する回数だけ操作スイッチ４１を押えて該当距離情報をパッティング情報提供装置４に入力する。例えば、ゴルフボール（ＧＢ）とホールカップ（ＨＣ）までの距離が３メートルの場合は３回、５メートルの場合は５回操作することになる。もしゴルフボール（ＧＢ）とホールカップ（ＨＣ）までの距離が３メートルであるのに対して、操作スイッチ４１を４回押して入力した距離情報が実際距離を越えた場合は操作スイッチ４１を用いて装置を再びオフ／オンした後再入力する。
【００３５】
このような距離情報入力方式は単一の操作スイッチを用いるためのもので、操作スイッチを複数個備える場合はさらに効率的な入力方式を採用することができる。また、本実施例は操作スイッチ４１を選択する毎に入力距離値が１メートル単位で増加するようになっているが、その増加単位も特定値に限定されない。
前述のように距離情報を入力した後、ゴルファーは図８に示したように、ゴルフボール（ＧＢ）とホールカップ（ＨＣ）とのグリーン上にパターを横にする。この際、パターはホールカップ（ＨＣ）とゴルフボール（ＧＢ）とを連結する直線ラインに対してシャフトが直角をなすように配置する。
【００３６】
図３において、プロセッサ４０は装置が動作状態に設定されれば操作スイッチ４１がオンされる操作回数をカウントして、これをゴルフボール（ＧＢ）とホールカップ（ＨＣ）までの距離情報として判定する。  この際、プロセッサ４０は入力された距離情報をＬＣＤ４６上に表示する。また、傾斜センサ４４から入力された傾斜情報をＬＣＤ４６に表示すると共に、入力された距離情報及び傾斜情報に基づきデータ貯蔵部４５から現実のホールカップ（ＨＣ）から仮想的なホールカップ（ＨＣ１）までの距離情報（Ｌ１）を読み出す。そして、この距離情報をＬＣＤ４６に表示する。
【００３７】
このような距離情報の表示はゴルファーが入力した距離情報が変更される際や、傾斜センサ４４から入力される傾斜情報が変更される毎に反復的に行なわれる。
また、プロセッサ４０は操作スイッチ４１が一定時間以上オン状態で作動するか、あるいは一定時間以上入力情報の変動のない場合は電源部４３を通じて装置全体の動作をオフさせ、待機状態に復帰する。
【００３８】
前述した実施例においてはゴルファーがパターに備えられる操作スイッチ４１を用いてゴルフボール（ＧＢ）からホールカップ（ＨＣ）までの距離を概略入力し、ゴルフボール（ＧＢ）とホールカップ（ＨＣ）までの間にパターを横にする簡単な操作だけで理想的なパッティングラインに対応する仮想的なホールカップ（ＨＣ１）の位置情報が得られる。従って、比較的に容易で、かつ正確にパッティングが可能となる。
【００３９】
以上、本考案の好ましい実施形態について説明したが、本考案は前記実施形態に限定されず、本考案の属する技術範囲を逸脱しない範囲での全ての変更が含まれる。
例えば、前述した実施例においてはただゴルフボール（ＧＢ）からホールカップ（ＨＣ）までの距離情報とライ情報、すなわちグリーンの傾斜情報だけをもってパッティング情報を提供することについて説明した。しかし、本考案においてはゴルファーがグリーンのコンディション情報、例えばグリーンが滑らかであるか粗いか、あるいはグリーンが濡れている状態なのかなどのパッティングに影響を与えるグリーンのコンディション情報を入力させ、これに基づき一層高精度のパッティング情報を提供するようにすることもできる。
【図面の簡単な説明】
【００４０】
【図１】本考案の基本概念を説明するための概念図である。
【図２】本考案の一実施例によるパッティング情報提供機能付きゴルフパターの外観形状を示した斜視図である。
【図３】図２においてパッティング情報提供装置４の内部回路構成を示したブロック構成図である。
【図４】図２においてパッティング情報提供装置４から提供されるパッティング情報のディスプレイ例を示した図である。
【図５】本考案に係るパッティング情報提供機能付きゴルフパターの主要部の分離斜視図である。
【図６】図５においてパッティング情報提供装置４の外観形状を示した外観斜視図である。
【図７】図５及び図６に示したパッティング情報提供装置４の分離斜視図である。
【図８】本考案に係るパッティング情報提供機能付きゴルフパターの使い方を説明した説明図である。
【符号の説明】
【００４１】
１  ：  ヘッド、                              
２：  シャフト、
３  ：  グリップ、
４  ：  パッティング情報提供装置。
【図１】
0003132762.tif 000003
【図２】
0003132762.tif 000004
【図３】
0003132762.tif 000005
【図４】
0003132762.tif 000006
【図５】
0003132762.tif 000007
【図６】
0003132762.tif 000008
【図７】
0003132762.tif 000009
【図８】
0003132762.tif 000010